(57)【要約】 【課題】被介護者の衣服が清潔に保たれると共に、介護者等の労働の負担は小さく、介護費用も低減できる被介護者用エプロンを安価に提供する。【解決手段】比較的狭い吸水性素材部分（２）と、その裏面の比較的大きな非透水性素材部分（３）とから、全体として着用時に着用者の実質的に顎下から腹部近傍に至る大きさにする。エプロン（１）の上方部分に縦襟（５）を付け、その一方の端部（６）に他方の端部（７）に接着される粘着テープ（８）を取り付ける。【選択図】   図１
2006016736.tif 000002
【特許請求の範囲】
【請求項１】
着用時に、着用者の実質的に顎下から腹部近傍に至る大きさに選定されている前掛け型のエプロンであって、
前記エプロンは、表面の吸水性素材からなる第１の部分と、その裏面の非透水性素材からなる第２の部分とから構成されていることを特徴とする使い捨て型の被介護者用エプロン。
【請求項２】
請求項１に記載のエプロンにおいて、第１の部分の上方は、縦襟になっていて、その一方の端部には他方の端部に接着される粘着テープが取り付けられている、使い捨て型の被介護者用エプロン。
【請求項３】
請求項１または２に記載のエプロンにおいて、縦方向の略中間部分には、上下方向に所定の間隔をおいて一対の粘着テープが設けられ、前記一対の粘着テープを貼り合わせると、ポケットが構成される、使い捨て型の被介護者用エプロン。
【発明の詳細な説明】
【技術分野】
【０００１】
本発明は、着用時に、着用者の実質的に顎下から腹部近傍に至る大きさに選定されている前掛け型またはプルオーバー型の、使い捨て型の被介護者用エプロンに関するものである。
【背景技術】
【０００２】
高齢者の増加と共に身の回りの処理に不自由を感じる人も増加している。このような多少不自由な人も、健康を維持するために食事は自分でするのが望ましいが、舌の動きは衰え、また口と手の動きとが必ずしも連動しないので、食物をよくこぼしている。また、乳幼児も訓練のため自分で食事をしているが、よくこぼす。このようなことは病人についてもいえる。そこで、このような弱者すなわち被介護者は、エプロンを着けて食事をするのが一般的である。
【０００３】
【特許文献１】特開２０００−１３６４０８
【特許文献２】特開２００１−２００４１０       上記のような被介護者あるいは乳幼児用のエプロンは、従来から色々提案されている。特に、本発明の先行技術文献として、特許文献１、２を挙げることができる。特許文献１には、表側が防水性樹脂層、裏側が繊維構造体よりなり、下方部分に食べこぼしなどが受けられるポケットが形成された被介護者用エプロンが示されている。また、特許文献２により、ポンチョ状のエプロンが提案されている。このエプロンの織布は、マルチフィラメントを集束撚糸し、この撚糸を平織りあるいは綾織りしたもので、その片面に防水層が設けられている。
【発明の開示】
【発明が解決しようとする課題】
【０００４】
特許文献１により提案されている介護用エプロンによると、表側が防水性樹脂層からなりポケットも設けられているので、食べこぼしても、それが衣服や床を汚すようなことはなく、また洗濯も簡単にできるという効果が得られる。また、特許文献２に示されている介護用エプロンによると、表側が防水性樹脂から構成されているので、食べこぼしが染みこんで衣服にシミが生じるようなことはなく、簡単に拭き取ることができる効果は認められる。また、食べこぼした固形物はポケットで受け止められ、衣服を汚すことも、また床にこぼれ落ちることもない効果も認められる。さらには、防水性樹脂から構成されているので、洗濯も容易にできる。
このように、提案されている被介護者用エプロンも被介護者が自分で食事をし、そして食べ物をこぼしても衣服を汚すことはなく、床、テーブル等は一応清潔に保つことができ、それなりの効果は認められ、実用にも供されていると思われる。
しかしながら、問題点あるいは改良すべき点も認められる。例えば、従来の被介護者用エプロンは洗濯して再使用することはできるが、洗濯のための費用が嵩む欠点がある。また、このような被介護者用エプロンは、個人的に家庭でも使用されるが、一般的には介護施設、病院、宿泊施設等で使用され、そして洗濯は介護人等が行っているが、そのために介護人等の労働負担が大きくなっている。さらには、洗濯して干す場所の問題もある。例えば、室内で干すと、みた目が悪く、また、生乾きになりなりやすく、雑菌による臭いが付くこともある。さらには、介護人の労力が洗濯に向けられる結果、介護が疎かになる恐れもある。また、洗濯しても殺菌処理がなされるわけではないので、雑菌が繁殖し、衛生面で問題が生じる恐れもある。特に、従来の被介護者用エプロンは固形物に対しては問題は少ないとしても、汁、飲料水等の液体状食物のこぼれに対しては、効果はあまり期待できない。
本発明は、上記したような従来の被介護者用エプロンの欠点あるいは問題点を解消した被介護者用エプロンを提供することを目的とし、具体的には被介護者の衣服が清潔に保たれると共に、介護者等の労働の負担は小さく、介護費用も低減できる被介護者用エプロンを安価に提供することを目的としている。
【課題を解決するための手段】
【０００５】
固形状の食物は、こぼれ落ちても衣服に付いたときは払い落とすことができ、テーブル、床等の上に落ちた固形状の食物は容易に取り除くことができる。これに対し、食物の汁、飲料水、涎等の液体は、衣服に染みこみ汚点となる。また、テーブル、床等の上では広がり、あたりを汚す。
そこで、本発明に係わる被介護者用エプロンは、上記目的を達成するために、食物の汁、飲料水、涎等の液体を吸収する吸水性素材と、吸収された液体から衣服を保護する被透水性素材とから構成される。すなわち、請求項１に記載の発明は、上記目的を達成するために、着用時に、着用者の実質的に顎下から腹部近傍に至る大きさに選定されている前掛け型のエプロンであって、前記エプロンは、表面の吸水性素材からなる第１の部分と、その裏面の非透水性素材からなる第２の部分とから構成されている。請求項２に記載の発明は、請求項１に記載のエプロンにおいて、第１の部分の上方は、縦襟になっていて、その一方の端部には他方の端部に接着される粘着テープが取り付けられ、そして請求項３に記載の発明は、請求項１または２に記載のエプロンにおいて、縦方向の略中間部分には、上下方向に所定の間隔をおいて一対の粘着テープが設けられ、前記一対の粘着テープを貼り合わせると、ポケットが構成されるようになっている。
【発明の効果】
【０００６】
以上のように、本発明によると、使い捨て型の被介護者用エプロンは、表面の吸水性素材からなる第１の部分と、その裏面の非透水性素材からなる第２の部分とから構成されているので、着用すると、こぼれ落ちて衣服を汚そうとする食物の汁、飲料水、涎等の液体は第１の部分で吸収される。そして、吸収された液体は第２の部分で衣服に達することが阻止される。したがって、本発明によると、食物の汁、飲料水、涎等の液体により衣服が汚されることも、またテーブル、床上に液体がこぼれ落ちることも防止される。さらには、液体を多量に含んだ固形物は第１の部分に接するときに、その液体分が吸収されるので、テーブル、床等に落下しても、比較的簡単に拭き取ることができる。
以上のように、本発明による被介護者用エプロンは、表面の吸水性素材からなる第１の部分と、その裏面の非透水性素材からなる第２の部分とから構成され、構造が極めて単純で安価に製作、提供することができるので、一度使用して液体の吸収量が多いときは破棄することができる。したがって、洗濯の問題、干場の問題、介護人の労力の問題、衛生の問題等が解決される。請求項２に記載の発明によると、第１の部分の上方は、縦襟になっていて、その一方の端部には他方の端部に接着される粘着テープが取り付けられているので、介護人によらずに自身で着けることも脱ぐこともできる効果がさらに得られる。請求項３に記載の発明によると、縦方向の略中間部分には、上下方向に所定の間隔をおいて一対の粘着テープが設けられているので、前記一対の粘着テープを貼り合わせると、ポケットが構成され、上記のような効果に加えて固形物を受けることができる効果がさらに得られる。
【発明を実施するための最良の形態】
【０００７】
以下、図１により、本発明の実施の形態を説明する。本実施の形態に係わる被介護者用エプロン１は、前掛け型を呈している。さらに詳しくは、平面的にみると略方形に形成され、着用者の実質的に顎下から腹部近傍に至る大きさに選定されている。そして、その中央部分の所定幅の所定長さ部分が吸水性素材からなる第１の部分２となっている。この第１の部分２の吸収性素材は、格別に限定されないが、例えば通常広く使用されているパルプ、レーヨン等の親水性繊維素材を絶乾処理して得ることができる。あるいは、破砕パルプや親水化処理した疎水性繊維等の親水性繊維、疎水性繊維、高吸水性ポリマー粉末等から構成されている。
【０００８】
このように構成されている第１の部分２は、この第１の部分２よりも幅方向に広く、縦方向に長い第２の部分３に張り付けた状態で取り付けられている。この第２の部分３は、非透水性の素材例えば防水処理あるいは撥水処理された紙、合成樹脂シート等から構成されている。このような素材から構成されている第１の部分２の上端部に、縦襟５が設けられている。縦襟５の一方の端部６には、他方の端部７に着脱自在に接着される粘着テープ８が取り付けられている。また、第１の部分２あるいは第２の部分３の略中間部には、上下方向に所定の間隔をおいて一対のポケット形成用の粘着テープ１０、１０が取り付けられている。
【０００９】
本実施の形態に係わる被介護者用エプロン１は、上記のように構成されているので、縦襟５を使用者の首に巻き、そして粘着テープ８を縦襟５の他方の端部７に付けるだけ、身につけることができ、また剥がすことにより、外すことができる。被介護者は、一般にテーブルについて食事するが、このときエプロン１の下方の端部分４がテーブル１１上に多少折り曲がって乗るようにして食事をする。このような使用状態が図２に示されている。そうすると、食事中にこぼれ落ちる食物の汁、飲料水、涎等の液体は第１の部分２で吸収される。そして、吸収された液体は、第２の部分３で衣服に達することが阻止される。また、固形物は水分が第１の部分２で吸収されて、エプロン１の折り曲がった下方部分４の上に溜まる。この固形物が溜まった状態でエプロン１を外し、固形物と共に破棄する。液体の吸収量が少ないときは、破棄することなく再利用できることは明らかである。また、一対のポケット形成用の粘着テープ１０、１０を互いに接着すると、第１、２の部分２、３は、一対の粘着テープ１０、１０の上下の間が折り曲がり、ポケットが形成される。このポケットにより固形物を受ける。
【００１０】
本発明は、上記図示の実施の形態に限定されることなく色々変形が可能である。例えば、図示の実施の形態によると、エプロン１は平面形状を呈しシンプルになっているので、安価に提供できるが、エプロン１の下方に固形物を受けるポケットを取り付けることもできる。また、第１、２の部分２、３の素材が、上記した実施の形態に限定されることなく、他の素材で実施できることは明らかである。さらには、襟５の形状、粘着テープ８が図示の実施の形態に限定されることがないことも明らかである。また、第１の部分２に、縫い目、圧接筋等からなる複数本の筋９、９、…を斜めに設け、滴下する水分を中央部へ案内するようにすることもできる。
【図面の簡単な説明】
【００１１】
【図１】本発明の実施の形態に係わる使い捨て型の被介護者用エプロンを模式的に示す平面図である。
【図２】本発明の実施の形態に係わる使い捨て型の被介護者用エプロンの使用状態を模式的に示す斜視図である。
【符号の説明】
【００１２】
１      被介護者用エプロン      ２      吸水性の第１の部分
３      非透水性の第２の部分    ４      縦襟
８      接着テープ            １０      ポケット形成用の粘着テープ
【図１】
2006016736.tif 000003
【図２】
2006016736.tif 000004